(57)【要約】【課題】  反射波伝送システムにおける遠隔制御を実現し、反射器を持つモバイル機器に対する操作性を向上する。【解決手段】  モバイル機器は反射器を備え、無変調キャリアに対する反射波にデータを載せて反射波伝送を行なう。反射波読み取り器は、赤外線受光部も備え、赤外線リモコン・コマンドとして送られる要求信号を受信解読し、ＡＳＫ変調信号によりモバイル機器に送信し、これに引き続き無変調キャリアを送信する。モバイル機器は、要求されたデータを反射波伝送する。赤外線リモコンからモバイル機器の操作が可能となり、遠隔制御の距離を伸ばすことができる。【選択図】  図１
2006014077.tif 000002
【特許請求の範囲】
【請求項１】
反射波読み取り器側からの搬送波の送信と、反射器側における伝送データに応じた反射波の変調により反射波伝送を行なう無線通信システムであって、
前記反射波読み取り器は赤外線コマンドを受信する赤外線受光部と、赤外線コマンドを解読する赤外線コマンド解読部を備え、赤外線コマンドに応じて反射波伝送動作を制御する、
ことを特徴とする無線通信システム。
【請求項２】
前記反射波読み取り器は、赤外線コマンドの内容を前記搬送波に変調を掛けて反射器に送信する、
ことを特徴とする請求項１に記載の無線通信システム。
【請求項３】
前記反射器は、前記反射波読み取り器経由で受信した赤外線コマンドの指示に従い、要求されたデータを前記反射波読み取り器からの搬送波に対する反射波に載せて送信する、
ことを特徴とする請求項２に記載の無線通信システム。
【請求項４】
前記反射波読み取り器は、前記反射器から受信したデータを外部機器に提供する、
ことを特徴とする請求項３に記載の無線通信システム。
【請求項５】
搬送波に対する反射器からの反射波の変調を利用した反射波通信を行なう無線通信装置であって、
搬送波を送信する送信手段と、
送信した搬送波に対する前記反射器からの反射波を受信処理する受信手段と、
赤外線コマンドを受信する赤外線受光手段と、
赤外線コマンドを解読する赤外線コマンド解読手段と、
赤外線コマンドに応じて反射波伝送動作を制御する通信制御手段と、
を具備することを特徴とする無線通信装置。
【請求項６】
前記通信制御手段は、赤外線コマンドにより要求されたデータ要求を、前記送信手段から前記搬送波に変調を掛けて前記反射器に送信する、
ことを特徴とする請求項５に記載の無線通信装置。
【請求項７】
前記通信制御手段は、赤外線コマンドにより要求されたデータを、前記反射器から反射波伝送により受信する、
ことを特徴とする請求項６に記載の無線通信装置。
【請求項８】
データを利用する外部機器を接続する外部機器接続手段をさらに備え、
前記通信制御手段は、反射波伝送により前記反射器から受信したデータを前記外部機器に提供する、
ことを特徴とする請求項７に記載の無線通信装置。
【請求項９】
搬送波に対する反射器からの反射波の変調を利用した反射波通信を行なう無線通信方法であって、
赤外線コマンドを受信する赤外線受光ステップと、
赤外線コマンドを解読する赤外線コマンド解読ステップと、
赤外線コマンドに応じて前記反射器に対する反射波又はデータの送信と前記反射器からの反射波の受信動作を行なう反射波伝送ステップと、
を具備することを特徴とする無線通信方法。
【請求項１０】
前記反射波伝送ステップでは、赤外線コマンドにより要求されたデータ要求を前記反射器に送信する、
ことを特徴とする請求項９に記載の無線通信方法。
【請求項１１】
前記反射波伝送ステップでは、赤外線コマンドにより要求されたデータを、前記反射器から反射波伝送により受信する、
ことを特徴とする請求項１０に記載の無線通信方法。
【請求項１２】
反射波伝送により前記反射器から受信したデータを外部機器に提供するデータ提供ステップをさらに備える、
ことを特徴とする請求項１２に記載の無線通信方法。
【請求項１３】
搬送波に対する反射器からの反射波の変調を利用した反射波通信を行なうための処理をコンピュータ・システム上で実行するようにコンピュータ可読形式で記述されたコンピュータ・プログラムであって、
赤外線コマンドを受信する赤外線受光ステップと、
赤外線コマンドを解読する赤外線コマンド解読ステップと、
赤外線コマンドに応じて前記反射器に対する反射波又はデータの送信と前記反射器からの反射波の受信動作を行なう反射波伝送ステップと、
を具備することを特徴とするコンピュータ・プログラム。
【発明の詳細な説明】
【技術分野】
【０００１】
本発明は、比較的近距離の機器間において低消費電力の通信動作を実現する無線通信システム、無線通信装置及び無線通信方法、並びにコンピュータ・プログラムに係り、特に、反射波読み取り器側からの無変調キャリアの送信と、反射器側におけるアンテナ負荷インピーダンスの切り替え操作などに基づく反射波の変調を利用してデータ通信を行なうバック・スキャッタ方式の無線通信システム、無線通信装置及び無線通信方法、並びにコンピュータ・プログラムに関する。
【０００２】
さらに詳しくは、本発明は、モバイル機器上のデータを反射波伝送により低消費電力で且つ効率的に読み取る無線通信システム、無線通信装置及び無線通信方法、並びにコンピュータ・プログラムに係り、特に、反射器機能を備えたモバイル機器からデータを読み取り、さらに表示出力など受信データの処理を操作性よく効率的に行なう無線通信システム、無線通信装置及び無線通信方法、並びにコンピュータ・プログラムに関する。
【背景技術】
【０００３】
複数の機器をネットワーク接続することにより、コマンドやデータ伝送の効率化、情報資源の共有化、ハードウェア資源の共有化を実現することができる。さらに最近では、有線方式による配線からユーザを解放するシステムとして、無線ネットワークが注目されている。
【０００４】
無線ネットワークに関する標準的な規格として、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１や、ＨｉｐｅｒＬＡＮ／２、ＩＥＥＥ８０２．１５．３、Ｂｌｕｅｔｏｏｔｈ通信などを挙げることができる。近年、無線ＬＡＮシステムは安価になり、ＰＣにも標準内蔵されるようになったこととも相俟って、無線ＬＡＮの普及が著しい。
【０００５】
比較的小規模な無線通信システムは、家庭内などで、ホスト機器と端末機器間のデータ伝送に使用される。ここで言うホスト機器の例としては、テレビ、モニタ、プリンタ、ＰＣ、ＶＴＲ、ＤＶＤプレイヤーなど、据え置き型の家電製品が挙げられる。また、端末機器の例としては、デジタル・カメラや、ビデオ・カメラ、携帯電話、携帯情報端末、携帯型音楽再生装置など、消費電力を極力抑えたいモバイル系機器が挙げられる。この種のシステムのアプリケーションとしては、カメラ付き携帯電話やデジタル・カメラで撮った画像データを無線ＬＡＮ経由でＰＣにアップロードすることなどである。
【０００６】
例えば、Ｂｌｕｅｔｏｏｔｈ通信を良好に行なう上で有利なデジタル・カメラについて提案がなされている（例えば、特許文献１を参照のこと）。デジタル・カメラは、ケースと、ケースに設けられたシャッター・ボタンを備えているが、シャッター・ボタンはケースの上部で左右方向の一方の端部に設けられている。また、ケース内にＢｌｕｅｔｏｏｔｈ通信用のアンテナがケースの上部で左右方向の他方の端部に設けられている。
【０００７】
ところが、無線ＬＡＮは本来コンピュータでの利用を前提として設計・開発されたものであり、モバイル系機器に搭載する場合、その消費電力が問題となる。現在市販されているＩＥＥＥ８０２．１１ｂの無線ＬＡＮカードの多くは、送信時に８００ｍＷ以上、受信時に６００ｍＷ以上の消費電力がある。この消費電力は、バッテリ駆動のポータブル機器にとっては、負担が大きい。
【０００８】
無線ＬＡＮ機能を近距離限定で動作させて、その送信電力を小さくしても、消費電力は８割程度しか低下することができない。特に、デジタル・カメラなどの画像入力装置から画像表示装置側への伝送は、送信比率が通信全体のほとんど占めるような通信形態となるため、なおさら低消費電力の無線伝送手段が求められている。
【０００９】
また、Ｂｌｕｅｔｏｏｔｈ通信に関しては、伝送速度が最大でも７２０ｋｂｐｓと低速度であり、昨今の高画質化し、ファイルサイズの大きくなった画像の伝送時間がかかり不便である。
【００１０】
これに対し、ＲＦＩＤで用いられるバック・スキャッタ方式に基づく反射波を利用した無線伝送によれば、例えば機器間で送信比率が通信のほとんどを占めるような通信形態において、低消費電力化を実現することができる。
【００１１】
バック・スキャッタ方式の無線通信システムは、変調処理を施した反射波によりデータを送信する反射器と、反射器からの反射波からデータを読み取る反射波読み取り器で構成される。データ伝送時には、反射波読み取り器が無変調キャリアを送信する。これに対し、反射器は、例えばアンテナの終端のオン／オフなどの負荷インピーダンス操作を用い、無変調キャリアに対し伝送データに応じた変調処理を施すことで、データを送出する。そして、反射波読み取り器側では、この反射波を受信し復調・復号処理して伝送データを取得することができる。
【００１２】
反射器は、例えば、入射する連続波の電波を反射させるアンテナと、送信データの発生回路と、送信データに対応させてアンテナのインピーダンスを変化させるインピーダンス変化回路で構成される（例えば、特許文献２を参照のこと）。
【００１３】
反射波伝送システムでは、アンテナの負荷インピーダンスを変化させる（すなわち、反射波の変調を行なう）ためのアンテナ・スイッチは一般的にガリウム砒素のＩＣで構成され、その消費電力は数１０μＷ以下であり、データ伝送を行なうときの平均電力としては、送達確認方式の場合で１０ｍＷ以下、一方向伝送では、数１０μＷでデータ伝送が可能である。これは、一般的な無線ＬＡＮの平均消費電力と比較すると、圧倒的な性能差である（例えば、非特許文献１を参照のこと）。したがって、デジタル・カメラなどのバッテリ駆動のモバイル機器に情報格納用端末装置を搭載した場合であっても、データ転送動作時の消費電力を節減することで、バッテリ寿命を大幅に延ばすことができる。
【００１４】
図５には、反射波伝送方式を利用した無線データ伝送システムの構成例を示している。
【００１５】
図示のシステムは、反射波伝送機能付きのデジタル・カメラ１０１と、反射波リーダと１０２、テレビ１０６と、赤外線リモコン１０８とで構成される。反射波リーダ１０２のビデオ出力は、ビデオ・ケーブル１０５でテレビ１０６の外部ビデオ入力端子に接続されている。
【００１６】
反射波リーダ１０２からは、無変調キャリア１０３が送信され、デジタル・カメラ１０１からは、ＪＰＥＧ（Ｊｏｉｎｔ Ｐｈｏｔｏｇｒａｐｈｉｃ Ｅｘｐｅｒｔｓ Ｇｒｏｕｐ）の画像データが反射波１０４として返される。画像データの送信は、デジタル・カメラ１０１の操作部（後述）から制御される。
【００１７】
赤外線リモコン１０８は、テレビ１０６の赤外線受光部１０７に制御信号を与え、ビデオのチャネル切り替えなどに使用される。
【００１８】
図６には、無線データ伝送機能付きデジタル・カメラの構成を模式的に示している。参照番号２００は無線データ伝送機能付きデジタル・カメラを示している。デジタル・カメラ単体としては、カメラ部２０２と、信号処理部２０３と、メモリ・カード・インターフェース部２０４と、操作／表示部２０５と、ＵＳＢインターフェース部２０６で構成される。
【００１９】
信号処理部２０３は、カメラ部２０２で入力された画像データをＪＰＥＧなどの所定のフォーマットの画像データに変換し、メモリ・カード・インターフェース部２０４を介して外部のメモリ・カード２０７に格納する。
【００２０】
操作表示部２０５は、画像表示、各種設定などを行なう。ＵＳＢインターフェース部２０６は、ＰＣにＵＳＢインターフェースを用いて画像転送を行なう際に使用される。
【００２１】
無線伝送モジュール２０８は、アンテナ２０９と、アンテナ・スイッチ２１０と、アンテナ負荷２１１と、バンドパス・フィルタ２１２と、ＡＳＫ検波部２１３とで構成される。本実施形態では、無線電波の周波数として２．４ＧＨｚ帯を用いる。
【００２２】
画像転送を行なう場合、無線伝送モジュール部２０８は、信号処理部２０３によってメモリ・カード２０７より読み出された画像データを受け取ると、データのビット・イメージに従ってアンテナ２０９に接続されたアンテナ・スイッチ２１０のオン／オフ動作を行なう。例えば、データが１のときはアンテナ・スイッチ３１０をオンに、データが０のときオフとする。
【００２３】
図示の通り、アンテナ・スイッチ２１０がオンのときは、アンテナ２０９は５０Ωのアンテナ負荷２１１で終端され、オフのときは、アンテナ２０９はオープンとなる。この動作は、転送先から到来する電波に対して、オンのときは終端、オフのときは反射の振る舞いをすることから、転送先では、送信電波の反射を検出ことによって画像データを読み取ることができる。すなわち、画像データは、アンテナ・スイッチ２１０のオン／オフ操作に伴うアンテナ負荷インピーダンスの変動によって生じる転送先からの電波の反射波として送信され、いわゆるバック・スキャッタ通信を実現する。無線伝送モジュール２０８からの反射波信号は、ＡＳＫ変調波と等価である。また、負荷インピーダンスをオープンとショート（アンテナ負荷２１１＝０Ω）で変化させることにより、ＰＳＫ変調波を作ることも可能である。
【００２４】
アンテナ・スイッチ２１０は一般的にガリウム砒素のＩＣで構成され、その消費電力は数１０μＷ以下であり、上述の反射波伝送によれば通信距離〜５ｍ程度の範囲内で超低消費の無線画像伝送を実現することができる。
【００２５】
バンドパス・フィルタ２１２、ＡＳＫ検波部２１３は、転送先からＡＳＫ変調された送達確認信号の受信時に用いるが、この２つのブロックは、伝送の送達確認を行なわない一方向の伝送であれば不要となる。一方、送達確認が行なわれる場合、その制御は、信号処理部２０３で行なわれる。
【００２６】
バンドパス・フィルタ２１２は、２．４ＧＨｚ帯の周波数を通過させ、他の周波数帯を減衰される目的で使用される。送達確認を行なう場合に必要なＡＳＫ検波部２１３の消費電力は３０ｍＷ以下で実現することができる。
【００２７】
したがって、図６に示した無線通信装置において画像データなどのデータ伝送を行なうときの平均電力としては、送達確認方式の場合で１０ｍＷ以下、一方向伝送では、数１０μＷでデータ伝送が可能である。これは、一般的な無線ＬＡＮの平均消費電力と比較すると、圧倒的な性能差である。
【００２８】
また、図７には、図６に示した無線通信装置からの伝送データを受信する反射波リーダのハードウェア構成を模式的に示している。
【００２９】
上述したように、デジタル・カメラからは画像データが反射波に載せて伝送される。したがって、反射波リーダ３００は、反射波を作り出すための無変調キャリアを送信し、反射されてきた信号の受信並びに復調、あるいは画像データのデコードを行なう。無線受信モジュール３００は、２．４ＧＨｚ帯のアンテナ３０１と、サーキュレータ３０２と、受信部３０３と、送信部３０４と、通信制御部３０５、ＪＰＥＧデコーダ３０６で構成される。
【００３０】
通信制御部３０５から送信部３０４に対しての指示を与えることにより、反射波リーダ３００から無変調キャリアが送信される。送信部３０４から出力される無変調キャリアは、サーキュレータ３０２経由でアンテナ３０１より送出される。
【００３１】
デジタル・カメラ２００からの画像データで変調された反射波は、アンテナ３０１、サーキュレータ３０２を経由し、受信部３０３で受信され、通信制御部３０５で復調される。
【００３２】
通信制御部３０５で復調されたデータは、ＪＰＥＧデコーダ部３０６で、ＪＰＥＧデータからアナログＡＶ信号（例えばＮＴＳＣ信号）に変換され、接続されたテレビ３０７でその画像を見ることが可能となる。通信制御部３０５は、デジタル・カメラ２００との通信制御も行ない、送信部３０４を介して、ＡＳＫによる送達確認情報などの制御信号の送信を行なう。
【００３３】
図中で参照番号３０８は赤外線受光部である。赤外線リモコン１０８からの制御信号を受信し、テレビ３０７本体に指示を与える。
【００３４】
ここで、上述したような反射波伝送システムには、以下のような課題があると本発明者らは思料する。
【００３５】
ユーザは、デジタル・カメラ１０１の画像をテレビ１０６に表示する際、まず、赤外線リモコン１０８を用いてテレビ１０６のビデオ入力チャネルを切り替える。その後、デジタル・カメラ１０１の操作／表示部２０５を操作して、表示したい画像の選択を行ない、続いて画像データの送信を行なう、という数段階の操作を行なう必要がある。
【００３６】
また、ユーザは赤外線リモコン１０８とデジタル・カメラ１０１の２つの操作をしないと、テレビ１０６に画像表示をさせることができず、操作としては煩雑である。また、デジタル・カメラ１０１の操作／表示部２０５での各種操作は、操作ボタンの大きさからも操作性が良いものとは言えない。
【００３７】
【特許文献１】特開２００４−５６７１１号公報
【特許文献２】特開平０１−１８２７８２号公報
【非特許文献１】特願２００３−２９１８０９号明細書
【発明の開示】
【発明が解決しようとする課題】
【００３８】
本発明の目的は、反射波読み取り器側からの無変調キャリアの送信と、反射器側におけるアンテナ負荷インピーダンスの切り替え操作などに基づく反射波の変調を利用してデータ通信を好適に行なうことができる、バック・スキャッタ方式の優れた無線通信システム、無線通信装置及び無線通信方法、並びにコンピュータ・プログラムを提供することにある。
【００３９】
本発明のさらなる目的は、モバイル機器上のデータを反射波伝送により低消費電力で且つ効率的に読み取ることができる、優れた無線通信システム、無線通信装置及び無線通信方法、並びにコンピュータ・プログラムを提供することにある。
【００４０】
本発明のさらなる目的は、反射器機能を備えたモバイル機器からデータを読み取り、さらに表示出力など受信データの処理を操作性よく効率的に行なうことができる、優れた無線通信システム、無線通信装置及び無線通信方法、並びにコンピュータ・プログラムを提供することにある。
【課題を解決するための手段】
【００４１】
本発明は、上記課題を参酌してなされたものであり、反射波読み取り器側からの搬送波の送信と、反射器側における伝送データに応じた反射波の変調により反射波伝送を行なう無線通信システムであって、前記反射波読み取り器は赤外線コマンドを受信する赤外線受光部と、赤外線コマンドを解読する赤外線コマンド解読部を備え、赤外線コマンドに応じて反射波伝送動作を制御することを特徴とする無線通信システムである。
【００４２】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００４３】
本発明に係る無線伝送システムは、比較的近距離に限定される機器間で送信比率が通信のほとんどを占めるような通信形態において、低消費電力化を実現することを目的とするものであり、ＲＦＩＤで用いられるバック・スキャッタ方式に基づく反射波の変調を利用して無線伝送を行なう。ＲＦＩＤシステム自体は、超近距離でのみ適用可能な無線通信手段の一例として当業界において広く知られている。
【００４４】
反射波伝送システムを利用することにより、例えば、反射波読み取り器機能を備えたＰＣやＴＶ受像機などのホスト機器は、反射器機能を備えたデジタル・カメラなどのモバイル機器から、低消費電力で且つ効率的にデータを読み取り、画面に表示出力したりプリントアウトしたりするなど受信データの処理を行なうことができる。
【００４５】
ここで、モバイル機器から反射波伝送を用いてデータをホスト機器が読み取る操作と、読み取ったデータをホスト機器上で表示出力するなどの操作をユーザは別々に行なう必要があり、操作性がよくないという問題がある。例えば、テレビ受像機などのホスト機器の操作を赤外線リモコンにより行なう場合には、操作が煩雑になる。
【００４６】
これに対し、本発明によれば、反射波読み取り器機能を備えたホスト機器は、赤外線受光部も備え、赤外線リモコンから送信される制御信号を受信解読し、その内容に基づいて搬送波を変調してモバイル機器に送信する。そして、モバイル機器は、その指示に従い、自装置内のデータを反射波伝送する。したがって、赤外線リモコンからモバイル機器の操作が可能となるので、操作性が向上するとともに、遠隔制御の距離をアップすることができる。
【００４７】
本発明に係る無線通信システムでは、反射波読み取り器は、赤外線コマンドの内容を搬送波にＡＳＫ変調などの変調を掛けて反射器に送信する。反射器は、これに応答して、反射波読み取り器経由で受信した赤外線コマンドの指示に従い、要求されたデータを前記反射波読み取り器からの搬送波に対する反射波に載せて送信する。ここで言う反射器は、例えばデジタル・カメラや携帯電話機などのデータ・ソースとなるモバイル機器である。
【００４８】
さらに反射波読み取り器は、反射器から受信したデータを外部機器に提供するようにしてもよい。ここで言う外部機器は、ＰＣやテレビ受像機など、デジタル・カメラから取得したデータを表示出力したり、プリントアウトしたり、画像処理などを行なうデータ・シンクに相当する。反射波読み取り器は、赤外線コマンドにより要求されたデータ要求を前記反射器に送信し、赤外線コマンドにより要求されたデータを前記反射器から反射波伝送により受信する。したがって、赤外線リモコンは、反射波読み取り器を赤外線リモコン・コマンドで操作することで、反射器を備えたデジタル・カメラなどの端末装置からデータを読み出すことができるようになる。
【発明の効果】
【００４９】
本発明によれば、モバイル機器上のデータを反射波伝送により低消費電力で且つ効率的に読み取ることができる、優れた無線通信システム、無線通信装置及び無線通信方法、並びにコンピュータ・プログラムを提供することができる。
【００５０】
また、本発明によれば、反射器機能を備えたモバイル機器からデータを読み取り、さらに表示出力など受信データの処理を操作性よく効率的に行なうことができる、優れた無線通信システム、無線通信装置及び無線通信方法、並びにコンピュータ・プログラムを提供することができる。
【００５１】
本発明によれば、反射波伝送システムの操作性が向上する。また、赤外線リモコンを用いることにより、反射波伝送を利用した通信システムにおいて反射器機能を備えた端末に対する遠隔制御の距離アップが実現する。また、本発明は、モバイル機器を置くだけで、非接触伝送する場合の制御方法として応用可能である。
【００５２】
本発明のさらに他の目的、特徴や利点は、後述する本発明の実施形態や添付する図面に基づくより詳細な説明によって明らかになるであろう。
【発明を実施するための最良の形態】
【００５３】
以下、図面を参照しながら本発明の実施形態について詳解する。
【００５４】
本発明は、比較的近距離に限定される機器間で送信比率が通信のほとんどを占めるような通信形態において、低消費電力の通信動作により、電化製品などの機器制御、画像などの大容量データ伝送、並びに相互通信を実現することを目的とするものであり、ＲＦＩＤで用いられるバック・スキャッタ方式に基づく反射波を利用して無線伝送を行なうものである。
【００５５】
ＲＦＩＤシステム自体は、局所でのみ適用可能な無線通信手段の一例として当業界において広く知られている。タグとリーダライタの間の通信方法には、電磁結合方式、電磁誘導方式、電波通信方式などが挙げられる。本発明は、このうち、２．４ＧＨｚ帯などのマイクロ波を用いた電波通信方式に関連する。
【００５６】
例えば、反射波読み取り器機能を備えたＰＣやＴＶ受像機などのホスト機器は、反射器機能を備えたデジタル・カメラなどのモバイル機器から、低消費電力で且つ効率的にデータを読み取り、画面に表示出力したりプリントアウトしたりするなど受信データの処理を行なうことができる。ところが、モバイル機器から反射波伝送を用いてデータをホスト機器が読み取る操作と、読み取ったデータをホスト機器上で表示出力するなどの操作は別々に行なう必要があり、操作性がよくないという問題がある。例えばテレビ受像機などのホスト機器の操作を赤外線リモコンにより行なう場合には、操作が煩雑になる。
【００５７】
そこで、本発明では、反射波読み取り器機能を備えたホスト機器は、赤外線受光部も備え、赤外線リモコンから送信される制御信号を受信解読し、その内容を基に搬送波を変調してモバイル機器に送信するようにした。この場合、モバイル機器は、その指示に従い、自装置内のデータを反射波伝送することができる。したがって、赤外線リモコンからモバイル機器の操作が可能となり、操作性が向上するとともに、遠隔制御の距離をアップする。
【００５８】
図１には、本発明の一実施形態に係る反射波伝送して無の構成を模式的に示している。
【００５９】
図示のシステムは、反射波伝送機能付きのデジタル・カメラ４０１と、反射波リーダ４０２と、テレビ４０６と、赤外線リモコン４０８で構成される。反射波リーダ４０２のビデオ出力は、ビデオ・ケーブル４０５でテレビ４０６の外部ビデオ入力端子に接続される。
【００６０】
反射波リーダ４０２からは、無変調キャリア４０３が送信され、デジタル・カメラ４０１からは、ＪＰＥＧの画像データが反射波４０４として返される。
【００６１】
ここで図１の従来例と異なるのは、反射波リーダ４０２に赤外線受光部が設けられていることである。  
【００６２】
赤外線リモコン４０８は、テレビ４０６の赤外線受光部４０７に制御信号を与え、ビデオのチャネル切り替え制御を行なうとともに、反射波リーダ４０２の制御と、さらに反射波リーダ４０２を介して、デジタル・カメラ４０１を制御することが可能である。このように、ユーザは、１つの赤外線リモコン４０８で、テレビ４０６の操作と反射波伝送システムの反射波リーダ４０２、デジタル・カメラ４０１の制御を行なうことができ、操作を簡便にすることが可能となる。
【００６３】
本実施形態では、ユーザは、デジタル・カメラ４０１を持って、遠隔から操作する必要がなくなる。したがって、デジタル・カメラ４０１は、反射波リーダ４０２の上に乗せるだけの形態でも、実用上は従来例と同じになる。これは所謂、非接触伝送である。
【００６４】
図２には、本実施形態において、反射器機能を持つデジタル・カメラ４０１からの伝送データを受信する反射波リーダのハードウェア構成を模式的に示している。但し、デジタル・カメラ４０１の構成や機能に関しては、図６に示した例と同様なので、ここでは説明を省略する。
【００６５】
デジタル・カメラからは画像データが反射波に載せて伝送される。反射波リーダ５００は、反射波を作り出すための無変調キャリアを送信し、反射されてきた信号の受信並びに復調、あるいは画像データのデコードを行なう。無線受信モジュール５００は、２．４ＧＨｚ帯のアンテナ５０１と、サーキュレータ５０２と、受信部５０３と、送信部５０４と、通信制御部５０５、ＪＰＥＧデコーダ５０６で構成される。
【００６６】
通信制御部５０５から送信部５０４に対しての指示を与えることにより、反射波リーダ５００から無変調キャリアが送信される。送信部５０４から出力される無変調キャリアは、サーキュレータ５０２経由でアンテナ５０１より送出される。
【００６７】
デジタル・カメラからの画像データで変調された反射波は、アンテナ５０１、サーキュレータ５０２を経由し、受信部５０３で受信され、通信制御部５０５で復調される。
【００６８】
通信制御部５０５で復調されたデータは、ＪＰＥＧデコーダ部５０６で、ＪＰＥＧデータからアナログＡＶ信号（例えばＮＴＳＣ信号）に変換され、接続されたテレビ５０７でその画像を見ることが可能となる。通信制御部５０５は、デジタル・カメラ５００との通信制御も行ない、送信部５０４を介して、ＡＳＫによる送達確認情報などの制御信号の送信を行なう。
【００６９】
赤外線受光部５０９は、通信制御部５０５に接続され、赤外線リモコン４０８の制御信号を読み取り、通信制御部５０５に伝達を行なう。通信制御部５０５は、赤外線リモコン４０８からの指示を、送信部５０４、サーキュレータ５０２、アンテナ５０１経由で、デジタル・カメラ４０１にＡＳＫ変調信号として送信する。
【００７０】
本制御信号はデジタル・カメラ４０１のアンテナ２０９で受信され、ＡＳＫ検波部２１３で検波され、信号処理部２０３に伝達される。
【００７１】
図３には、上記制御信号の制御シーケンスを示している。
【００７２】
赤外線リモコン４０８は、ビデオ切替信号６０１をテレビ５０７に送る。テレビ５０７は、外部ビデオ入力モードになる。
【００７３】
赤外線リモコン４０８は続いて、デジタル・カメラ４０１に対する画像データを要求する表示要求信号６０２を、赤外線リモコン・コマンドとして反射波リーダ４０２に送る。
【００７４】
反射波リーダ４０２は、表示要求信号６０２を受信しこれを解読すると、デジタル・カメラ４０１に対する画像データの要求を、搬送波をＡＳＫ変調した転送要求信号６０３として送る。これに引き続いて、デジタル・カメラ４０１が反射波により画像データを送信できるように、無変調キャリアを送る。
【００７５】
デジタル・カメラ４０１は、ＡＳＫ変調波として送られた転送要求信号６０３を受信しこれを解読すると、要求されている画像データ６０４を、反射波リーダ４０２からの無変調キャリアに対する反射波として、反射波リーダ４０２に返す。
【００７６】
反射波リーダ４０２は、反射波伝送された画像データ６０４を受信、復調し、６０５でＪＰＥＧデコードを行なう。さらにアナログビデオ信号に変換を行ない、テレビ５０７に出力する。
【００７７】
本実施形態では、１枚の画像の表示要求信号を転送する場合を例にとったが、この内容は、一覧表示、拡大、縮小、回転などの画像処理の制御信号でも勿論、構わない。また、ビデオ切替信号と表示開始信号と兼用することにより、ビデオ切替信号の送信は省略することができる。
【００７８】
図１及び図２に示した実施形態では、反射波リーダは、テレビとは、独立した装置であったが、図２の反射波リーダ５００をテレビ５０７と組み合わせて、一体型テレビ５１０とすることも可能である。この場合、反射波リーダ５００の通信制御部５０５とテレビ５０７は、制御ライン５１１で接続される。このようにすることにより、赤外線受光部５０９は、不要となり、テレビ５０７側の赤外線受光部５０８で兼用することができる。赤外線リモコン４０８の制御信号は、共通の赤外線受光部５０８で受信され、反射波伝送に必要な情報は、制御ライン５１１でテレビ５０７側から、反射波リーダ５００側に伝達される。
【００７９】
図４には、反射波リーダ一体型のテレビを用いたシステム構成図を示している。本実施形態では、反射波伝送機能付きのデジタル・カメラ７０１、反射波リーダ一体型テレビ７０４、赤外線リモコン７０５で構成される。
【００８０】
赤外線リモコン７０５はビデオ切替信号を反射波リーダ一体型テレビ７０４に送り、反射波リーダ一体型テレビ７０４は外部ビデオ入力モードになる。赤外線リモコン７０５は続いて、デジタル・カメラ７０１に対する画像データを要求する表示要求信号を赤外線リモコン・コマンドとして反射波リーダ一体型テレビ７０４に送る。反射波リーダ一体型テレビ７０４は、この表示要求信号を受信しこれを解読すると、デジタル・カメラ７０１に対する画像データの要求を、搬送波をＡＳＫ変調した転送要求信号として送る。これに引き続いて、反射波リーダ一体型テレビ７０４は、デジタル・カメラ７０１が反射波により画像データを送信できるように、無変調キャリア７０２を送信する。そして、デジタル・カメラ７０１は、要求されたＪＰＥＧの画像データを、無変調キャリア７０２に対する反射波７０３として返信する。
【００８１】
以上のように、赤外線リモコンだけで、テレビの操作と反射波伝送機能付きのデジタル・カメラの操作を行うことが可能となり、前記不具合を解決することができる。
【００８２】
なお、反射器から反射波読み取り器へのアップリンクでは、ＡＳＫやＢＰＳＫなどの低ビットレートの変調方式が一般的であるが、本発明の要旨はこれに限定されるものではない。反射波の変調時に、アンテナの終端処理などの負荷インピーダンスの操作に加え、反射波が往復する信号路上で位相差を与えることによって、ＱＰＳＫや８相ＰＳＫ変調など、より高いビットレートの多値の変調方式を実現することができる。例えば、本出願人に既に譲渡されている特願２００３−３５２２２３号明細書には、ＱＰＳＫ変調処理を取り入れたバック・スキャッタ方式の通信システムについて開示されている。
【産業上の利用可能性】
【００８３】
以上、特定の実施形態を参照しながら、本発明について詳解してきた。しかしながら、本発明の要旨を逸脱しない範囲で当業者が該実施形態の修正や代用を成し得ることは自明である。
【００８４】
本明細書では、読取装置側からの無変調キャリアの送信と、送信装置側における伝送データにて反射波に変調を行なう反射波伝送システムを例にとって本発明の実施形態について説明したが、本発明の要旨はこれに限定されるものではない。反射波伝送以外のメディアと赤外線リモコンを併用してデータ伝送を操作する場合であっても、本発明を適用することにより上述と同様の作用効果を奏することができる。
【００８５】
要するに、例示という形態で本発明を開示してきたのであり、本明細書の記載内容を限定的に解釈するべきではない。本発明の要旨を判断するためには、冒頭に記載した特許請求の範囲の欄を参酌すべきである。
【図面の簡単な説明】
【００８６】
【図１】図１は、本発明の一実施形態に係る反射波伝送して無の構成を模式的に示した図である。
【図２】図２は、反射器機能を持つデジタル・カメラ４０１からの伝送データを受信する反射波リーダのハードウェア構成を模式的に示した図である。
【図３】図３は、図１に示した反射波伝送システムにおける制御シーケンスを示した図である。
【図４】図４は、反射波リーダ一体型のテレビを用いたシステム構成を示した図である。
【図５】図５は、反射波伝送方式を利用した無線データ伝送システムの構成例を示した図である。
【図６】図６は、無線データ伝送機能付きデジタル・カメラの構成を模式的に示した図である。
【図７】図７は、図６に示した無線通信装置からの伝送データを受信する反射波リーダのハードウェア構成を模式的に示した図である。
【符号の説明】
【００８７】
４０１…デジタル・カメラ
４０２…反射派リーダ
４０５…ビデオ・ケーブル
４０６…テレビ
４０７…赤外線受光部
４０８…赤外線リモコン
５００…無線受信モジュール
５０１…アンテナ
５０２…サーキュレータ
５０３…受信部
５０４…送信部
５０５…通信制御部
５０６…ＪＰＥＧデコーダ
５０７…ＴＶ
５０８，５０９…赤外線受光部
７０１…デジタル・カメラ
７０４…反射波リーダ一体型テレビ
７０５…赤外線リモコン
【図１】
2006014077.tif 000003
【図２】
2006014077.tif 000004
【図３】
2006014077.tif 000005
【図４】
2006014077.tif 000006
【図５】
2006014077.tif 000007
【図６】
2006014077.tif 000008
【図７】
2006014077.tif 000009
【手続補正書】
【提出日】平成17年5月25日(2005.5.25)
【手続補正１】
【補正対象書類名】特許請求の範囲
【補正対象項目名】全文
【補正方法】変更
【補正の内容】
【特許請求の範囲】
【請求項１】
反射波読み取り器側からの搬送波の送信と、反射器側における伝送データに応じた反射波の変調により反射波伝送を行なう無線通信システムであって、
前記反射波読み取り器は赤外線コマンドを受信する赤外線受光部と、赤外線コマンドを解読する赤外線コマンド解読部を備え、赤外線コマンドに応じて反射波伝送動作を制御する、
ことを特徴とする無線通信システム。
【請求項２】
前記反射波読み取り器は、赤外線コマンドの内容を前記搬送波に変調を掛けて反射器に送信する、
ことを特徴とする請求項１に記載の無線通信システム。
【請求項３】
前記反射器は、前記反射波読み取り器経由で受信した赤外線コマンドの指示に従い、要求されたデータを前記反射波読み取り器からの搬送波に対する反射波に載せて送信する、
ことを特徴とする請求項２に記載の無線通信システム。
【請求項４】
前記反射波読み取り器は、前記反射器から受信したデータを外部機器に提供する、
ことを特徴とする請求項３に記載の無線通信システム。
【請求項５】
搬送波に対する反射器からの反射波の変調を利用した反射波通信を行なう無線通信装置であって、
搬送波を送信する送信手段と、
送信した搬送波に対する前記反射器からの反射波を受信処理する受信手段と、
赤外線コマンドを受信する赤外線受光手段と、
赤外線コマンドを解読する赤外線コマンド解読手段と、
赤外線コマンドに応じて反射波伝送動作を制御する通信制御手段と、
を具備することを特徴とする無線通信装置。
【請求項６】
前記通信制御手段は、赤外線コマンドにより要求されたデータ要求を、前記送信手段から前記搬送波に変調を掛けて前記反射器に送信する、
ことを特徴とする請求項５に記載の無線通信装置。
【請求項７】
前記通信制御手段は、赤外線コマンドにより要求されたデータを、前記反射器から反射波伝送により受信する、
ことを特徴とする請求項６に記載の無線通信装置。
【請求項８】
データを利用する外部機器を接続する外部機器接続手段をさらに備え、
前記通信制御手段は、反射波伝送により前記反射器から受信したデータを前記外部機器に提供する、
ことを特徴とする請求項７に記載の無線通信装置。
【請求項９】
搬送波に対する反射器からの反射波の変調を利用した反射波通信を行なう無線通信方法であって、
赤外線コマンドを受信する赤外線受光ステップと、
赤外線コマンドを解読する赤外線コマンド解読ステップと、
赤外線コマンドに応じて前記反射器に対する反射波又はデータの送信と前記反射器からの反射波の受信動作を行なう反射波伝送ステップと、
を具備することを特徴とする無線通信方法。
【請求項１０】
前記反射波伝送ステップでは、赤外線コマンドにより要求されたデータ要求を前記反射器に送信する、
ことを特徴とする請求項９に記載の無線通信方法。
【請求項１１】
前記反射波伝送ステップでは、赤外線コマンドにより要求されたデータを、前記反射器から反射波伝送により受信する、
ことを特徴とする請求項１０に記載の無線通信方法。
【請求項１２】
反射波伝送により前記反射器から受信したデータを外部機器に提供するデータ提供ステップをさらに備える、
ことを特徴とする請求項１２に記載の無線通信方法。
【請求項１３】
搬送波に対する反射器からの反射波の変調を利用した反射波通信を行なうための処理をコンピュータ・システム上で実行するようにコンピュータ可読形式で記述されたコンピュータ・プログラムであって、前記コンピュータ・システムに対し、
赤外線コマンドを受信する赤外線受光手順と、
赤外線コマンドを解読する赤外線コマンド解読手順と、
赤外線コマンドに応じて前記反射器に対する反射波又はデータの送信と前記反射器からの反射波の受信動作を行なう反射波伝送手順と、
を実行させることを特徴とするコンピュータ・プログラム。
【手続補正２】
【補正対象書類名】明細書
【補正対象項目名】００５７
【補正方法】変更
【補正の内容】
【００５７】
そこで、本発明では、反射波読み取り器機能を備えたホスト機器は、赤外線受光部も備え、赤外線リモコンから送信される制御信号を受信解読し、その内容を基に搬送波を変調してモバイル機器に送信するようにした。この場合、モバイル機器は、その指示に従い、自装置内のデータを反射波伝送することができる。したがって、赤外線リモコンからモバイル機器の操作が可能となり、操作性が向上するとともに、遠隔制御の距離を伸ばすことができる。